(57)【要約】  ユーザの医療または健康状態を監視する医療装置を含む携帯電話が提供される。この携帯電話は、第１のディスプレイおよびキーパッドが露出される第１の位置から、第１のディスプレイおよびキーパッドが露出される第２の位置に移動可能なキーパッドを備える。第１の位置では、携帯電話は従来の携帯電話方式で動作する。第２の位置では、携帯電話は医療装置として動作する。キーパッドが第１の位置にある場合、第２のディスプレイおよび／またはキーパッドは世間の目から隠される。
2010520724.tif 000002
【特許請求の範囲】
【請求項１】
筐体と、
前記筐体に含まれる第1のディスプレイと、
前記筐体に含まれる第１の部品であって、前記第１の部品が第1の位置および第２の位置を有するように前記筐体に移動可能に接続される第１の部品と、
前記筐体に含まれる第２のディスプレイと、
前記筐体に含まれる第2の部品とを具備し、
前記第２のディスプレイおよび前記第2の部品は、前記第１の部品が前記第1の位置にある場合は隠され、前記第１の部品が前記第２の位置にある場合は露出される電子装置。
【請求項２】
前記第１の部品が前記第1の位置にある場合、携帯電話として使用可能である請求項１に記載の電子装置。
【請求項３】
前記第１の部品が第２の位置にある場合に、ユーザの病状を監視するために使用可能である請求項１記載の電子装置。
【請求項４】
前記第1の部品は前記筐体に枢動接続される請求項１記載の電子装置。
【請求項５】
前記第1の部品は前記筐体に摺動可能に接続される請求項１記載の電子装置。
【請求項６】
前記第１の部品は第3の部品を露出するために枢動可能である請求項５記載の電子装置。
【請求項７】
前記第２のディスプレイへのアクセスにはロックをディスエーブルすることが要求される請求項１に記載の電子装置。
【請求項８】
前記ロックは前記第２のディスプレイにアクセスするためにパスワードを要求する請求項７記載の電子装置。
【請求項９】
前記ロックは前記第２のディスプレイにアクセスするためにバイオメトリックを要求する請求項７記載の電子装置。
【請求項１０】
前記ロックは鍵を要求する請求項７記載の電子装置。
【請求項１１】
生体学的試料を受けるために前記筐体に含まれる入力ポートをさらに具備する請求項３記載の電子装置。
【請求項１２】
前記電子装置は携帯電話である請求項１記載の電子装置。
【請求項１３】
前記電子装置は医療機器である請求項１記載の電子装置。
【請求項１４】
前記電子装置はさらに医療機器である請求項１２記載の電子装置。
【請求項１５】
前記医療機器は、血糖監視装置、心拍数監視装置、可変心拍数監視装置、血圧監視装置、酸素監視装置、パルス・オキシ装置あるいは温度監視装置を含む医療機器のグループから選択される請求項１３記載の電子装置。
【請求項１６】
前記第２の部品は、前記第１の部品の背面上に存在する請求項１記載の電子装置。
【請求項１７】
前記第１の部品は、第１の入力部品である請求項１記載の電子装置。
【請求項１８】
前記第２の部品は、第１の入力部品である請求項１７記載の電子装置。
【請求項１９】
電子装置上の第２のプライベートディスプレイをアクセスするための方法であって、
少なくとも第１の入力部品と第１の開放ディスプレイとを有する第１の形態の状態である電子装置を用意するステップと、
前記第１の入力部品を第２のプライベートディスプレイが露出される第２の形態に移動するステップと
を具備する方法。
【請求項２０】
前記第１の入力部品を移動するステップは、前記電子装置に対して前記第１の入力部品を枢動することを含む請求項１９記載の方法。
【請求項２１】
前記第１の入力部品を移動するステップは前記電子装置に対して前記第１の入力部品を摺動することを含む請求項１９記載の方法。
【請求項２２】
前記装置をロック解除するステップをさらに具備する請求項１９記載の方法。
【請求項２３】
前記ロック解除するステップは、パスワードを入力することを含む請求項２２記載の方法。
【請求項２４】
前記ロック解除するステップは、バイオメトリックを受けることを含む請求項２２記載の方法。
【請求項２５】
前記ロック解除するステップは、鍵を挿入することを含む請求項２２記載の方法。
【請求項２６】
前記第１の入力部品を移動するステップは、第２の入力部品を露出するステップを含む請求項１９記載の方法。
【請求項２７】
ユーザの生活統計を監視するために少なくとも携帯電話と医療装置とを具備する無線電子装置であって、
筐体であって、前記医療装置および前記携帯電話のための電子回路を含む筐体と、
第１の入力部品であって、前記筐体に移動可能に接続され、第１の位置および第２の位置を有する第１の入力部品と、
前記筐体に含まれ、前記第１の入力部品が前記第１の位置にある場合に前記携帯電話に関連づけられる第１の開放ディスプレイと、
前記筐体に含まれ、前記第１の入力部品が前記第２の位置にある場合に前記医療装置に関連づけられる第２のプライベートディスプレイと
を具備する無線電子装置。
【請求項２８】
前記医療装置に関連づけられた第２の入力部品をさらに具備する請求項２７記載の無線電子装置。
【請求項２９】
前記医療装置は、血糖監視装置、心拍数監視装置、可変心拍数監視装置、血圧監視装置、酸素監視装置、パルス・オキシ装置あるいは温度監視装置を含む医療装置のグループから選択される請求項２７記載の無線電子装置。
【請求項３０】
試料入力ポートを含む請求項２７記載の無線電子装置。
【請求項３１】
前記第２の部品は、前記第１の部品の背面上に存在する請求項２８記載の無線電子装置。
【請求項３２】
前記第２のプライベートディスプレイへのアクセスを禁止するインターロックをさらに具備する請求項２７記載の無線電子装置。
【請求項３３】
前記インターロックは、前記第１の入力部品を前記第１の位置にロックする請求項３２記載の無線電子装置。
【請求項３４】
前記インターロックは、バイオメトリックを用いてロック解除される請求項３２記載の無線電子装置。
【請求項３５】
前記インターロックは、パスワードを用いてロック解除される請求項３２記載の無線電子装置。
【請求項３６】
前記インターロックは、鍵を用いてロック解除される請求項３２記載の無線電子装置。
【請求項３７】
緊急信号を送信するために緊急インターロックをさらに具備する請求項２７記載の無線電子装置。
【請求項３８】
前記第１の開放ディスプレイおよび前記第２のプライベートディスプレイは接触している請求項２７記載の無線電子装置。
【請求項３９】
ユーザの医療情報に関連づけられるシステムであって、
前記ユーザのモバイル機器と、
中央管理機関と、
前記モバイル機器と前記中央管理機関とを接続するネットワークとを具備し、
前記モバイル機器は、
前記ユーザの医療情報を測定することができる医療装置と、
筐体と、
前記筐体に接続され、第１の位置および第２の位置を有する第１の入力部品と、
前記筐体に含まれる第１の開放ディスプレイと、
前記第１の部品が前記第２の位置に移動される場合に視認可能な第２のプライベートディスプレイであって、前記モバイル機器が前記ユーザの測定された医療情報を前記ネットワークを通じて前記中央管理機関に伝えるように前記医療機器に関連づけられる第２のプライベートディスプレイと
を具備するシステム。
【請求項４０】
医療スタッフは医療情報を調査し、前記ネットワークを通じて前記ユーザに情報を伝える請求項３９記載のシステム。
【請求項４１】
前記中央管理機関は、アラーム状態で救急サービスを提供する請求項３９記載のシステム。
【発明の詳細な説明】
【技術分野】
【０００１】
本出願の技術は一般に無線装置に関し、特にプライバシー・スクリーンを提供するために移動可能なキーボードを有する無線装置に関する。
【背景技術】
【０００２】
多くの人々が複数の電子装置を携行する。これらの装置には、例えば、リサーチ・イン・モーション社からのＢＬＡＣＫＢＥＲＲＹ（登録商標）および無数の他の電子装置のような、携帯電話、無線ラップトップコンピュータ、ページャ、無線ハンドヘルドコンピュータ、ＰＤＡ、ハンドヘルド電子メールユニットがある。
【０００３】
幾つかの電子装置は組み合わせ可能である。ＢＬＡＣＫＢＥＲＲＹ（登録商標）は、携帯電話に無線電子メールユニットの機能を組み合わせた電子装置の例である。しかしながら、いくつかの電子装置は例えば健康情報のような個人情報に関係がある。個人情報用の電子装置（electronics）は他の電子装置と組み合わせることができるが、その情報の表示は一般に比較的開放されており人目に触れることは周知である。例えば、無線電話は、例えば糖尿病患者によって使用可能である血糖監視装置（blood glucose monitor）と組み合わせることができる。しかしながら、その携帯電話のディスプレイおよびキーボードは、所有者／ユーザが糖尿病であることをすぐに公に示すだろう。その電話の所有者／ユーザは個人情報を保護したいと思うかもしれない。
【０００４】
したがって、この分野では、例えば健康情報のようなユーザが秘密にしておくことを望む情報に対するアクセスを許可するために、ディスプレイおよび／またはキーボードを含むプライバシー・スクリーンを有するハンドセットまたは無線装置に対する必要性がある。
【発明の概要】
【０００５】
本明細書に開示された実施形態は、ディスプレイおよび／またはキーボードのためのプライバシー・スクリーンを有するハンドセットを提供することにより、上述の必要性に対処する。本出願の一つの局面は、筐体を備えた電子装置を含む。前記筐体は第１のディスプレイおよび第１の部品（first component）を含む。前記第１の部品は、前記第１の部品が第１の位置および第２の位置を有するように移動可能に前記筐体に接続される。さらに第２のディスプレイと第２の部品（second component）も、前記第１の部品が第１の位置にある場合は前記第２のディスプレイおよび部品が隠され、前記第１の部品が第２の位置にある場合は前記第２のディスプレイおよび部品が露出されるように、前記筐体に含まれる。
【０００６】
本出願の別の局面では、電子装置を配置（arrange）する方法が提供される。この方法は、電子装置に関連づけられた第２のプライベートディスプレイにアクセスためのステップそれぞれを含んでいる。最初に、第１の形態（first configuration）の状態である電子装置が用意（provide）される。前記電子装置は、第１の形態において第１の入力と第１の開放ディスプレイとを有する。次に、第１の入力は、第２のプライベートディスプレイを露出するために第１の形態から第２の形態（second configuration）に移動される。
【０００７】
本出願のさらに別の局面では、個人医療監視装置（personal medical monitoring device）を内蔵する無線装置が提供される。この無線装置は、ユーザの生活統計（vital statistics）を監視するために携帯電話と医療装置とを含んでいてもよく、医療装置および携帯電話の動作のための電子回路を含む筐体を含む。携帯電話に関連する第１の入力部品は、第１の位置から第２の位置へ移動可能に前記筐体に接続される。前記筐体に含まれ、前記第１の入力部品が第１の位置にある場合は携帯電話に関連づけられる第１の開放ディスプレイと、前記筐体に含まれ前記第１の入力部品が第２の位置にある場合に医療装置に関連づけられる第２のプライベートディスプレイとが提供される。
【０００８】
この装置およびシステムの上述のおよび他の特徴、実用性、局面および利点は添付の図面の中で例証されるような発明の好ましい実施形態の以下のより詳細な説明から明らかになろう。
【図面の簡単な説明】
【０００９】
【図１】図１は、本出願に関連した技術を組み込んだ無線装置の前面上部の斜視図である。
【図２】図２は、図１の無線装置の別の前面上部斜視図である。
【図３】図３は、図１に関連したピボットの断面図である。
【図４】図４は、図１に関連したピボットの別の断面図である。
【図５】図５は、図１に関連したピボットの別の断面図である。
【図６】図６は、図１の電子装置を操作する１つの方法を例証するフローチャートである。
【図７】図７は本出願に関連した技術を組み込んだシステムである。
【図８】図８は、本出願に関連した技術を組み込んだ無線装置の斜視図である。
【図９】図９は図８の無線装置の別の斜視図である。
【発明を実施するための形態】
【００１０】
本技術を図１−９を参照して説明する。以下のアプリケーションは血糖監視装置と携帯電話(cellular telephone)の機能性とを組み合わせることに特に関係しているが、本開示を読むことにより当業者は他の種類の電子装置を組み合わせ得ることを理解するだろう。例えば、他の電子装置には、ハンドヘルドコンピュータ、ＰＤＡ、ページャ、酸素監視装置（oxygen monitors）、パルス・オキシ監視装置（pulse-ox monitors）、血圧監視装置（blood pressure monitors）、心拍数監視装置（heart rate monitors）、個人金融装置（personal financial devices）などがある。したがって、この特定の実施形態は、典型的で且つ制限されないと考えられるべきである。本明細書における用語「典型的」は「例、実例、又は例証を提供する」ことを意味するように用いられる。本明細書において「典型的」として説明された任意の実施形態は、必ずしも他の実施形態に対して好適又は有利であるとは解釈されない。
【００１１】
今、図１を参照すると、携帯型の電子装置１００が提供される。電子装置１００は第１の形態Ａの状態で示されており、この形態は、時折、公開のまたは開放の形態（public or open configuration）として参照されるかもしれない。上述したように、この例における電子装置１００は携帯電話であるが、ＰＤＡ、ハンドヘルドコンピュータなどのような他の任意の電子装置であってもよい。装置１００は、その電子装置の機能を実行するために、必要な電子部品（electronic component）・ソフトウェアモジュール、などを含む筐体１０２を含んでいる。無線装置１００については、アンテナ１０４が装置１００に対して内部的にまたは外部的に設けられていてもよい。装置１００は第１の入力部品１０６および第１の開放ディスプレイ１０８を含む。携帯電話については、第１の入力部品１０６は従来の携帯電話に関連したアルファベット数字式のキーパッドである。第１の入力部品１０６はメニュー制御ボタン１０６ｂ、スピーカーおよびボリューム・コントロール１０６ｃおよびその他同種のものに加え、数値入力１０６ａも含んでいる。もし電子装置が例えばハンドヘルドコンピュータであるならば、第１の入力部品１０６は従来のコンピューター・キーボード入力とより密接に配列されていてもよい。
【００１２】
第１の開放ディスプレイ１０８は、携帯電話表示パネル（cellular display panel）に関連したアイコン１１０を含んでいる。第１の開放ディスプレイ１０８はグラフィカルユーザインターフェースを含み得る。例えば、第１の開放ディスプレイ１０８は、無線周波数信号強度１１０ａ、呼び出し音ボリューム１１０ｂ、時刻１１０ｃおよび日付１１０ｄ等に関連したアイコン１１０を含んでいる。他のアイコンももちろん可能であり、アイコン選択は、大部分は設計上の選択、機能的な項目、ユーザ要望などの問題である。オプションとしては、装置１００は、使用されない時に第１の開放ディスプレイおよび第１の入力部品１０５をカバーおよび／または保護するためのカバーパネル（特に示されていないが、当分野では一般に理解される）を有していてもよい。第１の入力部品１０６上の１つの入力あるいは他の入力は、ユーザが電源オンおよび電源オフするためのパワーボタン１０６ｄを含むかもしれない。もしカバーパネルが使用されるならば、カバーパネルは、電力を節約するためにそのカバーパネルが閉じられた時にその装置のある態様（certain aspects of the unit）をシャット・ダウンするために電源とのインターフェースをしてもよい。
【００１３】
第１の入力部品１０６は、ピボット１１４で筐体１０２に枢動接続される。ピボット１１４は図３の中の断面図で示されている。ピボット１１４は筐体１０２内の凹所１１６を含んでいる。凹所１１６はその両側に壁１１８を有しており、それら壁１１８を接続する軸１２０を備えている。第１の入力部品は軸１２０が通って延びる軸穴１２２を有しており、筐体１０２と第１の入力部品１０６との間の回動可能または枢動可能な接続を形成する。ピボット１１４は筐体１０２の名目上の底１２４上に示されているが、ピボット１１４は、第１の入力部品１０６が下方向、上方向、左方向、右方向に、または、たとえば、第１の入力部品１０６が窓シャッターのように開く第１半体１０６’と第２半体１０６”を含むように２つのピボットを設けることによって左右方向のような、それらの組み合わせの方向に枢動および展開することを許可し得る。凹所１１６を横切って延びる軸１２０を設ける代わりに、軸１２０は、図４に示されるような突部１２６として形作ることもできるかもしれない。この場合、軸穴１２２は、貫通軸穴（through bore）の代わりに、移動止め１２８または押し込みと同種のものになり得る。さらに、図５に示されるように、ピボット接続は、逆に、第１の入力部品１０６から筐体１０２上の移動止め１３２に延びる突部１３０にしてもよい。
【００１４】
今図２を参照すると、電子装置１００は、プライベートなまたは閉塞の形態（private or closed configuration）として時々参照される第２の形態Ｂの状態で示されている。第２の形態Ｂでは、第１の入力部品１０６をピボット１１４を中心に枢動することによって、第２の入力部品２０２が露出される。図示のように、第２の入力部品２０２は第１の入力部品１０６の背面上に設けられている。しかし、アプリケーションによっては、第２の入力部品２０２は不必要であるかもしれない。さらに、第２の形態Ｂにおいては、第２のプライベートディスプレイ２０４が提供される。第２のプライベートディスプレイ２０４は、第１の形態Ａの状態である時には第１の入力部品１０６によって隠されていた。第１の開放ディスプレイ１０８および第２のプライベートディスプレイ２０４は、図示のような複合ディスプレイ（combined display）２０６を形成するために接触することができる。あるいは、第２のプライベートディスプレイ２０４は、図９のように、独立したディスプレイでもよい。ディスプレイ２０４あるいは複合ディスプレイ２０６は、装置１００に含まれる第２の電子装置の機能性と関係するアイコン２０８を含み得る。示されるように、電子装置１００は血糖監視グラフィカルユーザインターフェース２１０を備える。第２の入力部品２０２は同様に適切な機能性に関連するキー２１２を含む。本装置１００は血糖監視装置の機能性を兼ねているので、本装置は、危険な病状が検知されたことを救急医療スタッフに対して警告するために緊急インターロック２１４を有していてもよい。示されたインターロック２１４は押しボタンとして設けられているが、他のタイプのインターロックも可能である。
【００１５】
装置１００と共同して、筐体１０２は、例えば、生体学的試料を受けるための入力ポート２１６を有し得る。この場合、血一滴は入力ポート２１６に入るサンプル・タブ２１８を使用して挿入されてもよい。電子装置１００は生体学的試料を読み、第２のプライベートディスプレイ２０４上に適切な表示を提供してもよい。他のスタイルの入力ポートは、物理的な入力の代わりに電気的な入力を受領（accept）することができるかもしれない。例えば、入力ポート２１６は、心拍数監視装置、パルス・オキシ（pulse-ox）監視装置、血圧監視装置などからの測定値（reading）を受領してもよい。
【００１６】
第２のプライベートディスプレイ２０４に表示される情報は潜在的に個人情報であり、第２のプライベートディスプレイ２０４がなんらかの情報を表示することを許可するのに先だってパスワード保護を行うことが可能である。あるいは、ピボット１１４はパスワードでインターロック（interlock）されるか、あるいはロック３０２へ挿入することができる鍵３００を有していてもよい。
【００１７】
今図６を参照すると、フローチャート６００には電子装置１００を操作する潜在的な方法が図示されている。フローチャート６００は一連のステップを備えているが、これらのステップは、この電子装置の使用の範囲から逸脱すること無しで相互に入れ替えまたは代用することができる。さらに、これらステップは便宜上個別のものとして示しているが、単一のステップに結合してもよい。さらに、単一のステップは一連の２つ以上のステップに分けても良い。最初に、ステップ６０２で、第１の形態Ａの状態である電子装置が用意される。第１の形態Ａでは、第１の入力部品は露出されており使用可能である。さらに、第１の公開ディスプレイは観察可能である。次に、ステップ６０４で、第１の公開ディスプレイおよび／または第１の入力部品が使用できなくなる装置１００の特徴にアクセスする決定がなされる。オプションとしては、ステップ６０６で、第２の入力部品および／または第２のプライベートディスプレイへのアクセスを防止するためのロックがディスエーブルされる。このロックは、例えば、電子インターロックまたは機械式ロックであり得る。このロックは、パスワード、（指紋、網膜スキャン、声紋、などのような）バイオメトリック署名、鍵、または鍵カードなどによってディスエーブルし得る。次に、ステップ６０８で、第１の入力部品は第２の入力部品が露出されるように移動される。実質的に同時に、第２のプライベートディスプレイも同様に露出される。この結果、電子装置１００は第２の形態Ｂの状態で提供される。
【００１８】
正当に評価できるように、携帯電話としての電子装置１００は、個人医療装置によって得られる健康に関連するデータを中央管理機関（central repository）に送信するメカニズムを提供する。ＨＩＰＡＡの妨害を回避するために制御はレポジトリ・サーバ（repository server）上で確立されることが必要であるが、携帯電話伝送プロトコル（cellular telephone transmission protocols）は、データを送信するために、ＨＩＰＡＡあるいは他の法規制準拠のメカニズムを提供する。今図７を参照すると、電子装置１００のユーザ７００が示されている。この例においては、装置１００によって検出された医療情報は、携帯電話網（cellular network）７０２を通じて中央管理機関（central repository）７０４に送信されよう。中央管理機関７０４は、単一の設備あるいはネットワーク接続された一連の設備７０４１−ｎでありえる。携帯電話プロトコルを使用して医療情報を送信する携帯電話として示したが、有線ネットワークおよび無線ネットワークの双方を含む他のネットワーク接続伝送が可能である。ユーザ７００に医学指示または健康の秘訣を提供するために、医療スタッフ７０６はスケジュールされた方式またはランダムの方式で中央管理機関７０４で医療情報を調査することができる。さらに、中央管理機関７０４におけるアラーム状態（alarm conditions）はユーザ７００にとっての潜在的な健康の危険を医療スタッフ７０６に対し警告することができよう。このことは医療スタッフ７０６がより迅速なやり方で行動することを可能にするだろう。このような救急サービスは、ローカル「９１１」サービスなどと連絡をとることを含み得る。
【００１９】
図１〜７は、ピボット若しくはクラムシェルスタイルの無線装置に関連した技術の典型的な実施形態について説明した。しかしながら、この開示を読む当業者は、例えば、スライダまたはラップラウンド装置のような他のスタイルの無線装置が可能であることを理解するだろう。特に、図８および９を参照すると、スライダースタイルの無線装置８００が典型的な実施形態として提供される。無線装置８００は携帯電話として示されているが、少し例を挙げれば、例えば、ハンドヘルドコンピュータ、デジタル音楽プレーヤ、あるいはＰＤＡでもよい。図８の無線装置８００は第１の形態Ａの状態で示されている。装置８００は、筐体８０２、アンテナ８０４、第１の入力部品８０６および第１の開放ディスプレイ８０８を含む。第１の入力部品８０６は、装置８００の特徴にアクセスし使用することを可能にするためにキー８１６を含んでいる。装置８００は、分離したカバー（図示されていないが、スライダースタイル、クラムシェルスタイル、ラップラウンドスタイルなどになり得る）を備え得る。装置８００は、さらに、例えばメニューボタン８１２、選択制御ボタン８１４などのような幾つかの専用ボタン８１０を持っていてもよい。さらに、ディスプレイ８０８は装置８００の計画された使用と一致するアイコンそれぞれを含んでいてもよい。
【００２０】
図９は、装置８００が形態Ｂである状態を示している。形態Ｂでは、第１の入力部品８０６は摺動接続部（slide connection）９０２に沿って移動したところであり、その摺動接続部９０２は筐体８０２上の溝９０６内にある第１の部品８０６上のレール９０４から成る。形態Ｂへ第１の入力部品８０６を移動させることは、第２の入力部品９０８および第２のプライベートディスプレイ９１０を露出する。分離された第２のプライベートディスプレイ９１０の代わりであるが、形態Ｂへ第１の入力部品８０６を移動させることが、第１の開放ディスプレイ８０８を第２のプライベート形態に切り替えるためにインターロックを提供してもよい。さらに、第１の入力部品は、第１の入力部品８０６の背面側９１４上に存在する第３の入力部品９１２を露出するために枢動してもよい。装置１００と同様に、装置８００は、その装置のプライベートな部分それぞれに対するアクセスを防止するインターロック、緊急連絡または非常ボタン２１４などを有していてももい。
【００２１】
開示された実施形態における上記記載は、当業者が本願の技術の製造又は使用することを可能とするために提供される。これら実施形態への様々な変形例は、当業者には明らかであり、本明細書で定義された一般原理は、本発明の精神又は範囲から逸脱することなく他の実施形態にも適用されうる。従って本発明は、本明細書に示された実施形態に限定することは意図されておらず、本明細書に開示された原理及び新規特徴と整合が取れた最も広い範囲と一致するように意図されている。
【図１】
2010520724.tif 000003
【図２】
2010520724.tif 000004
【図３】
2010520724.tif 000005
【図４】
2010520724.tif 000006
【図５】
2010520724.tif 000007
【図６】
2010520724.tif 000008
【図７】
2010520724.tif 000009
【図８】
2010520724.tif 000010
【図９】
2010520724.tif 000011
【国際調査報告】
2010520724.tif 000012
2010520724.tif 000013
2010520724.tif 000014